(57)【特許請求の範囲】
【請求項１】
プロセッサを有するコンピュータであって、
前記プロセッサは、
前記プロセッサによって制御されるディスプレイ上に、無線ルータとの有線通信経路を確立するようにユーザを促す段階と、
少なくとも部分的に、手動設定処理を表示する第１の選択要素及び自動設定処理を表示する第２の選択要素を含むユーザインタフェースを前記コンピュータに表示することにより、前記ルータとの無線通信のための前記コンピュータの自動設定の選択肢を前記ユーザに与える段階と、
を含む論理を実行し、
前記第１の選択要素が選択されると、それに応答して、前記コンピュータは、ユーザに少なくともデフォルトのネットワーク名をユーザに表示することを含む手動設定処理を実行し、前記プロセッサは、新しいネットワーク名を表すユーザ入力に応答して、前記手動設定処理の一部として、前記デフォルトのネットワーク名を前記新しいネットワーク名に置き換え、
前記第２の選択要素が選択されると、それに応答して、前記コンピュータは、自動設定処理を実行し、その中で、前記コンピュータはコンピュータに対するユーザプロフィールを自動的に確立し、前記ユーザプロフィールには前記有線通信経路を介して前記プロセッサによって前記ルータから検索されたネットワーク名が含まれ、ユーザが自動設定を選択する場合は、少なくとも部分的には前記有線通信経路を用いることによって前記コンピュータに対するユーザプロフィールが確立され、前記ユーザのパスコードを自動的に確かめ、そして、前記コンピュータのパスコードとして前記パスコードを確立する、
ことを特徴とするコンピュータ。
【請求項２】
前記有線通信経路は、「イーサネット（登録商標）」経路であることを特徴とする請求項１に記載のコンピュータ。
【請求項３】
ノートブックコンピュータであることを特徴とする請求項２に記載のコンピュータ。
【請求項４】
前記ネットワーク名は、サービスセットＩＤ（ＳＳＩＤ）であることを特徴とする請求項１に記載のコンピュータ。
【請求項５】
前記ユーザが自動設定を選択した場合に、無線コンピュータに対する前記ユーザプロフィールは、少なくとも部分的には、前記有線通信経路を使用して、前記ルータの暗号化形式を自動的に確認し、該暗号化形式を無線コンピュータの暗号化形式として確立することによって確立されることを特徴とする請求項１に記載のコンピュータ。
【請求項６】
ルータとの有線通信経路を確立するようにコンピュータのユーザに命令する段階と、
少なくとも部分的に、手動設定処理を表示する第１の選択要素及び自動設定処理を表示する第２の選択要素を含むユーザインタフェースを前記コンピュータに表示することにより、前記ルータとの無線通信のための前記コンピュータの自動設定の選択肢を前記ユーザに与える段階と、
前記第２の選択要素の選択に応答して、前記ルータに関連した少なくともネットワーク名、パスコード、及び暗号化形式を前記コンピュータに通信するために、前記有線通信経路を自動的に使用する段階と、
前記ルータ及びコンピュータ間の無線通信のために前記ネットワーク名、パスコード、及び暗号化形式をその後使用し、伝送電力レベル（ワット）、電力節減モード、開放システム又は共有キーを使用するか否かを含むセキュリティパラメータ（開放システムがデフォルトとして設定され、）、データ暗号化キー形式、伝送レート周波数及びデータレートと適合するよう設定された伝送レート周波数（ＧＨｚ）及びデータレート（Ｍｂｐｓ）をコンピュータ内で確立する段階と、
を含む論理を実行するためにプロセッサによって使用可能なコンピュータ可読記録媒体。
【請求項７】
論理を自動的に使用する段階が、前記コンピュータを自動的に設定する信号をユーザが該コンピュータに入力する時に呼び出されることを特徴とする請求項６に記載の媒体。
【請求項８】
前記ネットワーク名は、サービスセットＩＤ（ＳＳＩＤ）であることを特徴とする請求項６に記載の媒体。
【請求項９】
前記有線通信経路は、「イーサネット（登録商標）」経路であることを特徴とする請求項６に記載の媒体。
【請求項１０】
前記コンピュータは、ノートブックコンピュータであることを特徴とする請求項６に記載の媒体。
【発明の詳細な説明】
【技術分野】
【０００１】
本発明は、一般的に、無線ルータと通信するためのノートブックコンピュータのような無線装置の自動設定に関する。
【背景技術】
【０００２】
無線コンピュータは、典型的には、所謂ネットワークアクセスポイントを通じて無線ネットワーク及び最終的に「インターネット」と通信する。このようなアクセスポイントは、無線コンピュータから「インターネット」の有線バックボーンに無線通信を経路指定するので「ルータ」と呼ばれることが多い。
【発明の開示】
【発明が解決しようとする課題】
【０００３】
ルータとの無線通信を達成するために、無線コンピュータは、ルータのネットワーク名、例えば暗号化キーを表すそのパスコード、及びルータで使用される暗号形式を含むある一定のパラメータで適正に構成されるべきである。これらのパラメータは、無線コンピュータのユーザにより手作業で入力され、本明細書で認識されるように厄介な仕事である。
【課題を解決するための手段】
【０００４】
無線コンピュータは、無線ルータとの有線通信経路を確立するようにユーザを促すための論理を実行するプロセッサを有する。この論理は、ルータとの無線通信のための無線装置の自動設定の選択肢をユーザに与え、ユーザが自動設定を選択する場合、ユーザプロフィールが、コンピュータに対して自動的に確立される。
【０００５】
非限定的な実施例では、有線通信経路は、「イーサネット」経路とすることができ、コンピュータは、ノートブックコンピュータとすることができる。ユーザが自動設定を選択する場合、必要に応じて、有線通信経路を使用することによってコンピュータに対するユーザプロフィールを確立し、ルータに関連したネットワーク名（ＳＳＩＤのような）を自動的に確かめ、ネットワーク名をコンピュータに関連したネットワーク名として確立することができる。確かめてコンピュータに設定することができる他のルータパラメータは、パスコード、及び暗号化形式を含む。
【０００６】
別の態様では、コンピュータ可読媒体は、ルータと有線通信経路を確立するようにコンピュータのユーザに命令する段階、及び自動的に有線通信経路を使用して、ルータに関連した少なくともネットワーク名、パスコード、及び暗号化形式をコンピュータに通信する段階を含む論理を実行するプロセッサにより使用可能である。論理はまた、続いて、ルータとコンピュータ間の無線通信のためにネットワーク名、パスコード、及び暗号化形式を使用する段階を含むことができる。
【０００７】
更に別の態様では、コンピュータのユーザは、ネットワークノードとの有線通信を確立するように命令される。コンピュータを自動設定するユーザ信号に応答して、少なくともネットワーク名及び暗号化形式が、ネットワークノードからダウンロードされる。ネットワーク名及び暗号化形式は、コンピュータとネットワークノード間の無線通信のために使用される。
【０００８】
本発明の詳細は、その構造及び動作の両方に関して、同じ参照番号が同じ部分を意味する添付図面を参照する中で最も良く理解することができる。
【発明を実施するための最良の形態】
【０００９】
最初に図１を参照すると、以下に限定されるものではないが、短距離赤外線又は高周波（例えば、Ｂｌｕｅｔｏｏｔｈ）無線通信、及び／又はＧＳＭ、符号分割多重接続（ＣＤＭＡ）、広帯域ＣＤＭＡ（Ｗ−ＣＤＭＡ）、時分割多重アクセス（ＴＤＭＡ）、直交周波数分割多重（ＯＦＤＭ）などのような長距離無線通信機能のような、限定はしないが、無線通信機能を有するノートブックコンピュータのような無線装置１２を含む全体的に１０で指定するシステムを示している。従って、装置１２は、付随するアンテナ１６を有する無線送受信機１４を含み、送受信機１４は、揮発性又は不揮発性半導体記憶装置、ディスク記憶装置、テープ記憶装置又は他の形式の電子的記憶媒体のようなコンピュータ可読媒体２０、又は例えば本発明の論理を担うために典型的にはプロセッサ１８により実行することができる論理回路にアクセスすることができる装置プロセッサ１８と通信する。
【００１０】
プロセッサ１８は、コンピュータモニタのようなディスプレイ２２を制御することができる。また、プロセッサ１８は、「イーサネット」インタフェースのような有線通信インタフェース２４と通信することができるが、ユニバーサルシリアルバス（ＵＳＢ）インタフェースのような他の形式の有線インタフェースを使用することができることは理解されるものとする。
【００１１】
図１に示す実施形態では、無線装置１２は、無線ルータ２６のようなネットワークノードと通信することができる。無線ルータ２６は、典型的には、無線装置１２の送受信機１４と無線通信するための付随するアンテナ３０を有する無線送受信機２８を含む。また、ルータ２６は、典型的には、「インターネット」３４と通信することができるルータプロセッサ３２を含む。ルータプロセッサ３２は、コンピュータ可読媒体３６、並びに「イーサネット」インタフェース３８のような有線通信インタフェースにアクセス可能である。有線通信経路４０は、すぐ以下に開示する目的のために、例えば、「イーサネット」ケーブルによって装置１２とルータ２６間に確立することができる。
【００１２】
ここで図２を参照すると、例えば最初の開始時のブロック４２において、装置プロセッサ１８は、ユーザがルータ２６への有線通信経路４０を確立するための命令をディスプレイ２２上に表示する。これが完了した時、設定プログラムは、スクリーンショットをディスプレイ２２上に表示させるプロセッサ１８により起動され、それにより、ユーザは、更に以下に示すような設定処理を「開始する」ことを選択することができる。必要に応じて、ユーザには、装置１２の近くに検出された無線ルータの一覧が表示され、そこから１つをブロック４８において選択することができる。例示的スクリーンショットを図５に示しており、これは、有線通信経路４０を確立するための命令を表示し、また、図示のように「ａｕｔｏ  ｃｏｎｆｉｇ」メニューからの「開始」ボタンを表示する。
【００１３】
ルータ２６との無線通信のために以下の開示に従って装置１２を設定した後、かつ有線経路４０を確立したケーブルを切り離す前に、図３は、装置プロセッサ１８が、必要に応じて、装置１２を使用して限定されたルータ２６設定を容易にすることができることを示している。判断菱形ブロック５０で開始して、ルータ２６が「インターネット」３４と通信するように設定されているか否かが判断される。設定されていない場合、ルータ２６の設定画面は、装置プロセッサ１８と通信し、かつユーザが公知の原理によって「インターネット」通信のためにルータを設定する操作を行うために起動することができる。
【００１４】
ルータが「インターネット」に対して設定されている場合、論理は、判断菱形ブロック５４に移動して、ルータ２６の無線通信機能が無効であるか否かを判断することができる。無効である場合、装置プロセッサ１８は、ブロック５６において、好ましくは基本的な無線暗号化プロトコル（ＷＥＰ）を使用してルータ２６を無線通信に対して有効にすることができる。ルータ２６の無線通信を有効にした後、論理は、現在のルータ２６設定のいかなる他のパラメータも修正することなく状態５８で終了する。
【００１５】
図６は、ブロック６０において、装置１２のためのプロフィール、本質的には無線通信設定を自動的又は手動で確立するオプションをユーザに与えることができることを示している。この選択は、図４に示すようなスクリーンショットの「手動設定」タブ上でクリックすることにより行うことができ、この場合、現在のネットワーク名（例えば、サービスセットＩＤ又は「ＳＳＩＤ」）、現在のパスコード又はパスフレーズ、及び現在の暗号化形式が表示されるが、典型的にはデフォルト値が最初に表示され、ユーザがこの値を望ましい値に変更することができることは理解されるものとする。図４に示すように信号強度のようなネットワーク統計値も表示することができる。図４の「表示せよ」とラベル付けられたボタンのような支援ボタンも表示して、設定段階のプログラムされたシーケンスを通してユーザをナビゲートすることを助けることができる。
【００１６】
他方、ユーザは、図５に示すような「自動設定」タブを選択し、次に、信号を入力する（例えば、図示の「開始」ボタンをクリックすることにより）ことにより、自動的に無線設定を実行することを選択して、更なるユーザ対話を要求されることなくルータ２６との無線通信のために無線装置１２を自動的に設定することができる。このようにして、ユーザプロフィールが、自動的に装置１２に確立される。
【００１７】
この選択は、図６の判断菱形ブロック６２により示され、ユーザが手動設定を選択した場合、ユーザは、ブロック６４において無線装置１２を手動で設定することを許され、必要に応じてブロック６６において更新されたネットワーク統計値を提供される。無線通信の設定が完了した状態で、ブロック６８において、利用可能なルータの最新リストをダウンロードにより時々提供することができる。
【００１８】
他方、ユーザが、例えば図５内の「開始」ボタンをクリックすることにより自動設定を選択した場合、論理は、ブロック７０に移動して、ルータ２６との無線通信に対して装置１２を自動的に設定し、従って、装置１２に対して「ユーザプロフィール」を作成する。
【００１９】
一非制限的実施例では、この自動設定は、ルータ２６のネットワーク名、パスコード、及び暗号化形式（例えば、ＡＥＳ、４０／６４ビットＷＥＰ、１０４／１２８ビットＷＥＰ、又はＷＰＡ−ＰＳＫ）を検索するために有線経路４０を通じてルータ２６にアクセスすることにより、装置プロセッサ１８によって実行される。これらのパラメータは、装置１２のネットワーク名、パスコード、及び暗号化形式として装置１２に入力され、それによって、これらのパラメータをルータ２６のものと適合させることにより、ルータ２６との無線通信に対して装置１２を最小限に設定する。その後、有線経路４０を取り除いてもよく、無線装置１２は、ルータ２６と無線で通信することができる。
【００２０】
更に、必要に応じて、以下のパラメータ、すなわち、拡張範囲、例えば伝送電力レベル（ワット）、常時認識モード（ＣＡＭ）のような電力節減モード（有効及び無効）、開放システム又は共有キーを使用するか否か（典型的には、開放システムがデフォルトとして設定される）のようなより詳細なセキュリティパラメータ、データ暗号化キー形式、例えば、ＡＳＣＩＩ（英数字）、ＨＥＸ（ヘキサデシマル）なども無線装置１２に確立することができる。更に、典型的には周波数（ＧＨｚ）での伝送レート及びデータレート（Ｍｂｐｓ）としても公知の無線モードは、ルータ２６内の同一のパラメータと適合するように設定することができる。
【００２１】
図７は、最初の起動後に、ユーザによって選択することができる５個までの選択肢を表示するメインメニューを判断菱形ブロック８０に表示することができることを示している。例示的メインメニューが図９に示されており、同一の選択に対して、図９が図７と異なる表現を使用することは理解されるものとする。
【００２２】
図示のように、マウスのような入力装置を適切に操作することによりユーザによって選択され、無線システムについてより多くを学習することができる選択ボタン８２が表示される。また、装置上の情報にアクセスすることを選択することができる無線装置情報ボタン８４も表示され、また、ユーザが直面する問題の解決のために選択することができる診断ボタン８６も表示される。また、図８の論理を呼び出すために選択することができる設定ボタン８８も提供される。また、ユーザが以前に自動ルータ設定を選択した場合には、「ＷＬＡＮ実行ファイル作成」ボタン９０を表示することができる。
【００２３】
ヘルプ利用ボタン９２は、図示のボタン８２の選択に応答して示され、ヘルプ利用を呼び出すことができる。また、情報ボタン８４の選択に応答して、信号強度及びデータ伝送レートのようなある一定の無線パラメータの表示窓９４を表示することができる。
【００２４】
図８は、これまでに説明した全体的方法を実行するための非制限的な好ましい論理を示している。ブロック９６で開始されて、一覧からルータを選択するか又は「一覧にないもの」を選択するようにユーザを促す画面が、ユーザの無線装置上に表示される。このような画面の非制限的実施例が図１０に示されている。ユーザが、判断菱形ブロック９８においてルータが一覧にないことを示す場合、ヘルプ画面をブロック１００において表示することができ、ユーザがヘルプ画面から出た時に、メインメニューをブロック１０２において表示することができる。
【００２５】
逆に、ユーザがルータを一覧から選択した場合、ユーザは、ブロック１０４において上述のケーブルをルータに接続するように促される。例示的プロンプト画面が図１１に示されている。
【００２６】
判断菱形ブロック１０６において、無線装置の論理がケーブル接続又は「インターネット」接続を検出しなかった場合、ブロック１０８において診断画面が表示される。一方、適正に接続する時に、論理は、ブロック１１０に移動してルータにログインする（必要であれば、ユーザにルータパスワードを入力するように求める）。ブロック１１２において、ＳＳＩＤ及びネットワークキーは、上述のようにケーブル上でルータから自動的に得られ、無線プロフィールが、上述の原理によりブロック１１４において作成される。続いて、メインメニューをブロック１０２において表示することができる。
【００２７】
特定の「ルータのための無線装置の自動設定」を本明細書で示して詳細に説明したが、本発明に包含される内容は、特許請求の範囲によってのみ制限されることは理解されるものとする。
【図面の簡単な説明】
【００２８】
【図１】本発明の原理による非制限的システムのブロック図である。
【図２】非制限的実施例におけるユーザアクションの流れ図である。
【図３】無線装置により実行される例示的論理の流れ図である。
【図４】手動設定ユーザインタフェース導入画面のスクリーンショットを示す図である。
【図５】自動設定ユーザインタフェース画面のスクリーンショットを示す図である。
【図６】図４及び５に示す画面を選択するための論理の流れ図である。
【図７】使用することができる代替の好ましい非制限的論理を示す図である。
【図８】使用することができる代替の好ましい非制限的論理を示す図である。
【図９】図７及び８の論理に関するスクリーンショットを示す図である。
【図１０】図７及び８の論理に関するスクリーンショットを示す図である。
【図１１】図７及び８の論理に関するスクリーンショットを示す図である。
【符号の説明】
【００２９】
１０  システム
１２  無線装置
１４  無線送受信機
１８  装置プロセッサ
２０  コンピュータ可読媒体
【図１】
0005264405.tif 000002
【図２】
0005264405.tif 000003
【図３】
0005264405.tif 000004
【図４】
0005264405.tif 000005
【図５】
0005264405.tif 000006
【図６】
0005264405.tif 000007
【図７】
0005264405.tif 000008
【図８】
0005264405.tif 000009
【図９】
0005264405.tif 000010
【図１０】
0005264405.tif 000011
【図１１】
0005264405.tif 000012